(57)【要約】【課題】  皮膚に対する低刺激性を追及しながら、同時に使用後における使用感を改善し、更に洗浄後に石鹸が残存した場合でもこれを有効に除去できる石鹸の提供。【解決手段】  オリーブオイル、ひまし油、パーム油、パーム核油、パームステアリン酸、ココナッツ油、米ぬか油、紅花油、ごま油、つばき油、コーン油、綿実油、大豆油、ひまわり油を含む植物油から選択される１種または２種以上の植物性油脂成分と、当該植物性油脂成分と反応して石鹸を生成させるアルカリ成分と、上記植物性油脂成分とアルカリ成分とからなる有効成分１００容積部に対して、０．５〜４容積部の両で配合される微生物成分とからなる石鹸とする。【選択図】図１
2010285566.tif 000002
【特許請求の範囲】
【請求項１】
オリーブオイル、ひまし油、パーム油、パーム核油、パームステアリン酸、ココナッツ油、米ぬか油、紅花油、ごま油、つばき油、コーン油、綿実油、大豆油、ひまわり油を含む植物油から選択される１種または２種以上の植物性油脂成分と、
当該植物性油脂成分と反応して石鹸を生成させるアルカリ成分と、
上記植物性油脂成分とアルカリ成分とからなる有効成分１００容積部に対して、０．５〜６容積部の量で配合される微生物成分とからなる石鹸。
【請求項２】
請求項１に記載の石鹸の製造方法であって、
（ａ）水溶液の性状であるアルカリ成分を作成するアルカリ成分作成工程と、
（ｂ）植物性油脂成分とアルカリ成分とを混ぜ合わせる第一混合工程と、
（ｃ）植物性油脂成分とアルカリ成分との混合懸濁液中に微生物成分を混ぜ合わせて混合する第二混合工程とからなり、
前記第二混合工程は、摂氏６０度未満で行われることを特徴とする石鹸の製造方法。
【発明の詳細な説明】
【技術分野】
【０００１】
本発明は、石鹸およびその製造方法に関し、さらに詳しくは皮膚への刺激を低減させた固形石鹸、特に洗顔石鹸乃至は化粧石鹸として使用できる固形石鹸とその製造方法に関する。
【背景技術】
【０００２】
従来から植物性の油脂成分を用いて形成された固形石鹸は、種々提案されている。例えば、特許文献１（特開２００４−９９８５１号公報）では、人の肌に優しく、入浴・洗顔などに用いることで肌の健康に役立つミネラル含有化粧石けんを提供するべく、麦飯石１．５〜１０重量％、オリーブ油０．５〜５重量％、ウコン０．１〜３重量％を含有する固形石けんが提案されている。
【０００３】
また、特許文献２（特開２００５−２６４１２８号公報）では、にきび・吹き出物の発生防止やアトピー性疾患や湿疹のある方の使用および体臭抑制効果を持つと共に、シミ・ソバカスの発生防止や肌を白くさせる美白効果が顕著に作用する美白石鹸の製造方法が提案されており、特に、石鹸製造に使用する植物油脂として、グレープシードオイルを主原料とし、更にオリーブオイル・ココナッツオイルおよびパームオイルを適宜割合にて混合することが提案されている。
【０００４】
更に、特許文献３（特開２００７−５６１７４号公報）には、靴下等を汚すことなくコスト安で水虫やタムシの症状の改善に寄与する石けんを提供するべく、成分として光合成菌・乳酸菌・酵母菌・放線菌・麹菌等の有用微生物群を大量に含む石けんが提案されている。但し、この文献では、当該石けんの製造方法について、有用微生物群を、他の石けん成分（油脂と水酸化ナトリウムとでんぷん）からなる液中に入れて混ぜ、その後型に入れて２ヶ月ほど放置することしか記載されておらず、鹸化反応と有用微生物群の添加のタイミングが何ら考慮されていない。また澱粉も配合している上、油脂として、サラダオイル（３リットル）が使用されている。
【先行技術文献】
【特許文献】
【０００５】
【特許文献１】特開２００４−９９８５１号公報
【特許文献２】特開２００５−２６４１２８号公報
【特許文献３】特開２００７−５６１７４号公報
【発明の概要】
【発明が解決しようとする課題】
【０００６】
上述の通り、従来から肌への刺激の低減やアトピー性疾患でも使用可能な石鹸の提案が行われており、また水虫やタムシの症状の改善を果たすべく有用微生物群有用微生物群（以後、ＥＭ菌と称する。）を利用した石鹸も提案されている。
【０００７】
しかしながら、皮膚への低刺激性を改善しながら、同時に使用後の効果を改善したものは未だ提案されていないのが実情である。また、洗浄に際して使用した石鹸は、その後のすすぎで十分に流れ落とされることになるが、すすぎ方次第では僅かながら皮膚に残留することも考えられる。
【０００８】
そこで本発明は、皮膚に対する低刺激性を追及しながら、同時に使用後における使用感を改善し、更に洗浄後に石鹸が残存した場合でもこれを有効に除去できる石鹸を提供することを第一の課題とする。
【０００９】
また上記の通り、有用微生物群有用微生物群を利用した石鹸も提案はされているものの、その製造方法上の課題から当該有用微生物群を有効に活用できていないのが実情である。
【００１０】
そこで本発明は石鹸の製造方法を再確認し、有用微生物群を有効に活用することの出来る石鹸の製造方法を第二の課題とする。
【課題を解決するための手段】
【００１１】
上記課題を解決するべく鋭意開発を行った結果、本発明者は植物油、特にオリーブ油を用いて形成した石鹸であること、及びこのような植物性油脂に対して有用微生物群等の微生物成分を配合することにより、使用時および使用後において皮膚に対して良好な相乗効果を果たすことを見出して本発明を完成させたものである。
【００１２】
即ち、本発明は、前記課題の少なくとも何れかの課題を解決するために、オリーブオイル、ひまし油、パーム油、パーム核油、パームステアリン酸、ココナッツ油、米ぬか油、紅花油、ごま油、つばき油、コーン油、綿実油、大豆油、ひまわり油を含む植物油から選択される１種または２種以上の植物性油脂成分と、当該植物性油脂成分と反応して石鹸を生成させるアルカリ成分と、上記植物性油脂成分とアルカリ成分とからなる有効成分１００容積部に対して、０．５〜６容積部の量で配合される微生物成分とからなる石鹸を提供する。
【００１３】
かかる石鹸は、更に補助剤成分として、汚れ放出ポリマー、高分子分散剤、多糖類、研磨剤、殺菌剤、曇り抑制剤、ビルダー、酵素、乳白剤、染料、香料、増粘剤、抗酸化剤、加工助剤、他の石鹸泡起泡増進剤、緩衝剤、抗真菌剤またはカビ制御剤、昆虫忌避薬、防錆助剤、およびキレート剤からなる群から選択される少なくとも１つ以上を配合することも出来る。但し、その配合量は皮膚への低刺激性の要請を逸脱しない範囲であることが望ましい。むしろ皮膚に対する刺激性を低減させるためには、これら添加剤は配合しないことが望ましい。即ち、本発明にかかる石鹸は、植物性の油脂成分、アルカリ性分、および有用微生物群だけで形成することが望ましい。なお、微生物成分の養分として澱粉を配合する場合には、保存時における当該成分の品質変化も考慮しなければならず、却って皮膚への刺激を高めることも考えられることから、本発明にかかる石鹸では配合する必要はない。
【００１４】
本発明にかかる石鹸において、植物性油脂成分としては、特にオリーブオイルに代表される果実由来の植物油を使用することが望ましい。更に、オリーブ油の中でも、バージンオリーブオイルが望ましく、その中でも遊離酸度がオレイン酸に換算して１００ｇ当り２ｇ以下のもの（即ち、エキストラバージンオリーブオイルおよびバージンオリーブオイル）であることが望ましい。
【００１５】
このようなオリーブ油を使用することにより、洗浄後において石鹸が皮膚に残留した場合でも、当該石鹸による皮膚への刺激性が低減され、更に皮膚における保湿性を高めることができる。その結果、アトピー性疾患等の皮膚炎を患っている者が使用した場合であっても、皮膚に対する刺激が少ないことから、その症状の改善を図ることが可能になる。また、植物性油脂成分としてオリーブ油を使用することにより、仮に固形石鹸として形成した場合でも型崩れすることなく長く使用することが出来る。
【００１６】
また、本発明にかかる石鹸の製造に使用することのできるアルカリ成分としては、水酸化カリウム、水酸化ナトリウムなど、石鹸の製造に使用されている各種のアルカリ性成分を使用することができる。特に固形石鹸を製造する場合には水酸化ナトリウムが使用され、一方で液状の石鹸を製造する場合には水酸化カリウムを使用する。但し、本発明にかかる石鹸は、皮膚への低刺激性及び有用微生物群との相互作用を企図するものであるから、鹸化に使用されるアルカリ成分は水酸化ナトリウムであることが望ましく、よって固形石鹸であることが望ましい。
【００１７】
よって本発明にかかる石鹸は、望ましくは固形であって、適宜立体形状に形成される。この立体形状とは、流体を除いた意味であり、粉体であってもよく、望ましくは一定の大きさを有する形状である。形状としては、球体、垂体、柱体、球面と平面を組み合わせた形状、その他、星形、ハート型、キャラクター形状など、様々な形状を含む。また大きさについては、使用に適した大きさであれば特に問題ない。
【００１８】
そして上記本発明にかかる石鹸は、更に有用微生物群からなる微生物成分を、植物性油脂成分とアルカリ成分とからなる有効成分に対して、容積割合で０．５〜６％、望ましくは容積割合で０．５〜４％配合してなる。石鹸の有効成分１００容積部に対して０．５未満であると、この有用微生物群に基づく効果が十分に得られず、一方６容積部を超えて配合しても、その効果においてそれほど変わりなく、材料が無駄になるためである。
【００１９】
かかる微生物成分を構成する有用微生物群とは、乳酸菌群、酵母群、光合成細菌群、発酵系の糸状菌群、グラム陽性の放線菌群）から嫌気、微好気の複数の有用な微生物が基質を交換しあいながら共存している集合体のことであり、複合共生の微生物資材である。ただし、この微生物資材に使用される微生物は、酵母菌や乳酸菌など、食品加工に使用されている安全な種類であることが望ましい。かかる微生物成分として使用される有用微生物群は、例えば株式会社  ＥＭ研究所および有限会社サン興産業から提供されている商品名「ＥＭ１〜３」、「ＥＭＷ」、「ＥＭＸ」等を使用することができる。
【００２０】
上記の有用微生物群は、抗酸化力が強いいことから、これを石鹸に配合することで、酸素の多い現在の大気中における（酸化）微生物による有機物の酸化分解を阻止し、さらに発酵、蘇生など生分解型の善循環へ変化させることができるものと考えられる。
【００２１】
また、このような有用微生物群からなる微生物成分を配合することにより、石鹸保守成分である界面活性剤の分解を促進させて、皮膚に石鹸成分が残留した場合であっても、当該石鹸成分による皮膚に対する影響を減じることができる。更に、この有用微生物群による界面活性剤の分解促進作用は、洗浄に際して生じる排水中の界面活性剤の分解も促進させることから、環境保全にも貢献することができる。
【００２２】
そして本発明にかかる石鹸では、石鹸の主成分として植物性油脂、特にオリーブオイル由来の油脂を使用していることから、当該有用微生物群による分解により、金属その他の無機物が皮膚に残留することなく分解される。そして、石鹸の使用に際して皮膚に付着した有用微生物群は、その活動に最適な摂氏３６度前後で保持されることから、当該有用微生物群の活動も活性化され、より顕著な効果を得ることが出来る。
【００２３】
更に本発明では、前記課題の少なくとも何れかを解決するために、石鹸中に有用微生物群を有効に存在させることの出来る石鹸の製造方法を提供する。
【００２４】
即ち、上記有用微生物群を含有する石鹸の製造方法であって、
（ａ）水溶液の性状であるアルカリ成分を作成するアルカリ成分作成工程と、
（ｂ）植物性油脂成分とアルカリ成分とを混ぜ合わせる第一混合工程と、
（ｃ）植物性油脂成分とアルカリ成分との混合懸濁液中に微生物成分を混ぜ合わせて混合する第二混合工程とからなり、
前記第二混合工程は、摂氏６０度未満で行われる石鹸の製造方法である。
【００２５】
かかる製造方法において、アルカリ成分を作成するべく、水酸化ナトリウムなどを水に溶解させた際に熱が発生し、これが摂氏６０度以上になってしまうこともある。このような温度環境化に微生物成分を混入させた場合には、当該微生物が死滅してしまうおそれもある。そこで本発明では、最初にアルカリ成分を作成し、これに第一混合工程で植物性油脂をまぜて攪拌することで懸濁液の温度を下げ、これが摂氏６０度未満、望ましくは摂氏４０度以下になった段階で、第二混合工程で微生物成分を懸濁液中に混ぜて更に混合する。
【００２６】
このような製造工程を経ることにより、微生物成分を構成する有用微生物群が摂氏６０度以上で死滅してしまうおそれがなくなり、製造される石鹸中に有効に存在することが出来る。更に、アルカリ成分と植物性油脂成分との鹸化はアルカリ成分作成工程で発生した熱により高温下で行われることから、鹸化反応も十分に促進されることになる。
【００２７】
しかして、上記本発明にかかる石鹸の製造方法によって製造された石鹸は、その中に失活していない微生物成分が多数存在することから、皮膚において体温下で有効に酵素を発生させることが出来る。
【図面の簡単な説明】
【００２８】
【図１】本実施例にかかる固形石鹸の製造工程を示す略図
【図２】本実施例にかかる固形石鹸を示す略図
【発明を実施するための形態】
【００２９】
以下、図面に基づいて本実施の形態にかかる石鹸、特に固形石鹸とその製造方法を具体的に説明する。
【００３０】
先ず、本実施の形態にかかる固形石鹸は、植物性油脂成分としてオリーブ油を使用し、アルカリ性成分として水酸化ナトリウムを使用し、両者を反応（ケン化）させることにより石鹸を製造している。この固形石鹸の製造に際しては、オリーブ油を４０００ｃｃ、水酸化ナトリウムを５６０ｃｃ使用しており、更に有用微生物群からなる微生物成分を１００ｃｃ使用している。かかる洗濯用固形石鹸の成型に際しては、ケン化反応物を型枠内に流し込んで、これを冷却、乾燥、熟成させ、必要に応じて脱型後に成形して形成している。
【００３１】
具体的には、図１の石鹸の製造工程図に示すように、最初に５６０ｃｃの水酸化ナトリウム２０を、５６０ｃｃの水２１に投入し、両者が十分に混ざり合うまで（約１５分ほど）攪拌混合し、アルカリ成分を作成する（アルカリ成分作成工程イ）。このアルカリ成分作成工程は発熱反応であり、実施する周囲環境にもよるが、摂氏６０度を超えることもある。
【００３２】
そして作成したアルカリ成分に対して４０００ｃｃのオリーブ油３０を投入して、更に３０分間ほど攪拌混合して鹸化反応を行う（第一混合工程ロ）。その結果、当該混合液５０は懸濁状態になり、またアルカリ成分作成工程（イ）で発生した熱も放出されて、おおよそ摂氏４０度程まで温度が下がることになる。
【００３３】
その後、この懸濁混合液中に、ＥＭ（Ｅｆｆｅｃｔｉｖｅ  Ｍｉｃｒｏｏｒｇａｎｉｓｍｓ：有用微生物群）の名称で販売されている微生物成分４０を５６０ｃｃ混合し、これを約５分間攪拌混合する（第二混合工程ハ）。このＥＭの投入に際しては、適宜温度計７０などにより混合懸濁液の温度管理を行うのが望ましい。
【００３４】
そして、この溶液５０を成型用の型８０に注入し（成型工程ニ）、型に入れてから２日乃至は１週間ほど熟成させ、そして脱型することにより製造することができる。なお、この製造方法における攪拌工程は、攪拌速度などに関してそれ程厳密性は要求されるものではなく、製造する量にもよるが人力で行う程度でよい。
【００３５】
特に、上記工程（イ）〜（ニ）の全てにおいて、原料に対する加熱は一切行われていないことから、地球温暖化ガスとして排出制限が行われている二酸化炭素の発生を抑制できるばかりでなく、当初投入した水分量で鹸化を行うことが出来るので、製造される石鹸中の水分管理も行いやすいものとなる。更に、有用微生物群の失活を確実に避けることが出来るとの効果が得られる。そして、このような加熱を行わないコールドプロセスで作成した場合には、原料の油脂成分であるオリーブ油が石鹸中に残留し、これが皮膚に潤いを与える他、有用微生物群を活性化させるものと考えられる。即ち、オリーブオイルを使用し、コールドプロセスにより作成することにより、別途澱粉などの有用微生物群の養分を配合する必要がないものとなっている。
【００３６】
図２（Ａ）〜（Ｅ）は、本実施の形態にかかる固形石鹸の全体形状を示している。即ち、成型して形成される石鹸の全体形状を示している。この図に示すように、本実施の形態にかかる固形石鹸は、一定の面積および厚さを有するものとして様々な形状に形成することができる。特に、固形石鹸をネット乃至は布帛製の袋に入れて使用する場合には、当該固形石鹸の大きさは、例えば図１（Ａ）に示すような球体形状の固形石鹸１０に形成した場合には、その直径を約１５〜４０ｍｍに形成する。また図１（Ｂ）に示すような円柱形状の固形石鹸１１に形成した場合には、その直径を約２０ｍｍ、軸心長を１０〜３０ｍｍにする。また図１（Ｃ）に示すような角柱形状の固形石鹸１２に形成した場合には、全ての辺長を１５〜３０ｍｍにする。また図１（Ｄ）に示すような角錐形状の固形石鹸１３に形成した場合には、全ての辺長を２０〜４０ｍｍにする。そして図１（Ｅ）に示すような星型形状など、様々な意匠を施した形状の固形石鹸１４としても形成することができ、望ましくは１個あたり約６０ｃｃの容積に形成される。
【００３７】
以上のようにして製造された固形石鹸によれば、摂氏３５度前後の微温湯で洗浄を行うことにより、有用微生物群が活性化されて、雑菌の繁殖を抑えることが出来、更に洗浄後において仮に石鹸成分が残留した場合でも、本実施の形態にかかる固形石鹸は、オリーブ油を用いて形成されており、他の蛍光塗料などの余分な成分が配合されていないことから、皮膚に対する刺激性が大幅に低減されている。更に、この固形石鹸には有用微生物群からなる微生物成分も配合されており、余分な石鹸成分は、体温で活性化されたこの有用微生物群によって分解されることから、皮膚に対する刺激性は大幅に低減されている。更に微生物成分配合していることから、濯いだ後の水による環境汚染も軽減される。
【００３８】
更に微生物成分として口内投与が認められているものを選択すれば、例えば口内洗浄のために使用することができ、その際に有用微生物群の作用により、歯槽膿漏の原因となる歯周病菌の除去も行うことが出来る。
【実施例１】
【００３９】
本実施例では、上記実施の形態で作成した石鹸（以下「本石鹸」とする）との比較の為に、以下の石鹸を作成した。なお、上記実施の形態で作成した石鹸とは、水酸化ナトリウム５６０ｃｃを水５６０ｃｃと混合し、これに植物性油脂成分としてのオリーブ油を４０００ｃｃを混合して鹸化を行う。その後、懸濁溶液が摂氏４０度になった段階で、ＥＭの名称で販売されている有用微生物群からなる微生物成分を１００ｃｃを添加して混合し、これを成型して冷却、乾燥、熟成させて形成している。
【００４０】
〔比較石鹸１〕上記本石鹸の製造において、植物性油脂成分としてのオリーブ油を４０００ｃｃに代えて、牛脂、ヤシ油及びパーム油の混合油脂４０００ｃｃを使用した以外は同様にして比較石鹸１を作成した。
この比較石鹸１を使用した結果、皮膚の上に膜が張ったような思い洗い上がりであることが確認された。更に毛穴が詰まるような感じと共に、発疹が発現する者もあった。
【００４１】
〔比較石鹸２〕上記本石鹸の製造において、有用微生物群からなる微生物成分をアルカリ成分作成工程の直後に投入し、その後、植物性油脂成分を配合し、鹸化を行い、比較石鹸２を作成した。
この比較石鹸２を使用した結果、洗い上がり感については、本石鹸と同様の効果が得られたが、水虫などの皮膚疾患を有する者についての改善効果は得られなかった。この点、本石鹸を使用した場合には、洗浄後における皮膚疾患者の痒み等が長時間にわたってが軽減された。
【００４２】
〔比較石鹸３〕上記本石鹸の製造において、有用微生物群からなる微生物成分配合せずに、比較石鹸３を作成した。
この比較石鹸３を使用した結果、上記比較石鹸２と同じように、洗い上がり感については本石鹸と同様の効果が得られたが、水虫などの皮膚疾患を有する者についての改善効果は得られなかった。
【符号の説明】
【００４３】
１０，１１，１２，１３，１４・・・洗濯用固形石鹸
２０・・・水酸化ナトリウム
２１・・・水
３０・・・オリーブ油
４０・・・微生物成分
７０・・・温度計
８０・・・型
【図２】
2010285566.tif 000003
【図１】
2010285566.tif 000004